(57)【特許請求の範囲】
【請求項１】
電動ガレージのドアの開閉動作を遠隔操作するための遠隔操作装置が接続可能なナビゲーション装置において、
車両の現在位置を検出する現在位置検出手段と、
前記車両の進行方位を検出する方位検出手段と、
前記車両の速度を検出する速度検出手段と、
前記現在位置及び前記進行方位と前記電動ガレージ外に予め定めた開放位置及び開放方位とが各々略一致し、かつ前記車両の速度が所定速度以下の場合に、前記電動ガレージのドアを開放するための開放信号を前記遠隔操作装置へ出力する出力手段と、
を有するナビゲーション装置。
【請求項２】
前記出力手段は、前記現在位置及び前記進行方位と前記電動ガレージ内に予め定めた所定位置及び所定方位とが各々略一致し、かつ前記車両のエンジンが停止した場合に、前記電動ガレージのドアを閉鎖するための閉鎖信号を前記遠隔操作装置へ出力することを特徴とする請求項１に記載のナビゲーション装置。
【請求項３】
前記出力手段は、前記現在位置及び前記進行方位と前記電動ガレージ内に予め定めた所定位置及び所定方位とが各々略一致した状態で前記車両のエンジンが始動した場合に、前記電動ガレージのドアを開放するための開放信号を前記遠隔操作装置へ出力することを特徴とする請求項１又は請求項２に記載のナビゲーション装置。
【請求項４】
前記出力手段は、前記現在位置及び前記進行方位と前記電動ガレージ外に予め定めた閉鎖位置及び閉鎖方位とが各々略一致した場合に、前記電動ガレージのドアを閉鎖するための閉鎖信号を前記遠隔操作装置へ出力することを特徴とする請求項１乃至請求項３の何れか１項に記載のナビゲーション装置。
【請求項５】
前記出力手段は、前記車両が前記電動ガレージ内に予め定めた所定位置から所定距離走行した場合又は前記電動ガレージのドアを開放してから所定時間経過した場合に、前記電動ガレージのドアを閉鎖するための閉鎖信号を前記遠隔操作装置へ出力することを特徴とする請求項１乃至請求項４の何れか１項に記載のナビゲーション装置。
【発明の詳細な説明】
【０００１】
【発明の属する技術分野】
本発明は、ナビゲーション装置に係り、特に、電動式ガレージ等を操作するための機器を接続可能なナビゲーション装置に関する。
【０００２】
【従来の技術】
従来より、車両を収容するためのガレージとして、車内からワイヤレスリモコンで操作することにより開閉することができる電動式ガレージがある。ところが、ワイヤレスリモコンから送信される信号として電波を用いた場合には、電波が届く範囲内にある他の電動式ガレージにも影響を与えて誤動作することが考えられる。
【０００３】
この問題を解決するため、予め定めた車両ＩＤが記憶された光ビーコンをガレージ側に取り付け、車両側から車両ＩＤを含む信号を光ビーコンに向けて送信し、光ビーコンに記憶されている車両ＩＤと受信した信号に含まれる車両ＩＤとが一致した場合にガレージのドアを自動的に開ける電動式ガレージが提案されている（特開平１０−８８６１号公報）。
【０００４】
【発明が解決しようとする課題】
しかしながら、上記従来技術では、車両から送信された信号が光ビーコン側に届く範囲内に車両が接近した場合には、運転者の意図に関係なくガレージのドアの開閉動作が行われ、誤作動するという問題がある。
【０００５】
本発明は上記事実を考慮し、リモコンにより操作することなく自動的にガレージのドアを開閉することができると共に、誤作動を防ぐことができるナビゲーション装置を提供することが目的である。
【０００６】
【課題を解決するための手段】
上記目的を達成するために、請求項１記載の発明は、電動ガレージのドアの開閉動作を遠隔操作するための遠隔操作装置が接続可能なナビゲーション装置において、車両の現在位置を検出する現在位置検出手段と、前記車両の進行方位を検出する方位検出手段と、前記車両の速度を検出する速度検出手段と、前記現在位置及び前記進行方位と前記電動ガレージ外に予め定めた開放位置及び開放方位とが各々略一致し、かつ前記車両の速度が所定速度以下の場合に、前記電動ガレージのドアを開放するための開放信号を前記遠隔操作装置へ出力する出力手段と、を有することを特徴としている。
【０００７】
請求項１記載の発明によれば、電動ガレージのドアの開閉動作を遠隔操作するための遠隔操作装置を接続可能なナビゲーション装置において、現在位置検出手段は、車両の現在位置を検出する。この車両の現在位置の検出は、周知のＧＰＳシステムを用いて、例えば緯度・経度で定まる位置として容易に検出することができる。方位検出手段は、前記車両の進行方位を検出する。この方位検出手段は、例えば振動型のジャイロセンサを用いることができる。速度検出手段は、前記車両の速度を検出する。
【０００８】
出力手段は、現在位置検出手段により検出した車両の現在位置及び方位検出手段により検出した車両の進行方位と電動ガレージ外に予め定めた開放位置及び開放方位とが各々略一致し、かつ前記車両の速度が所定速度以下の場合に、前記電動ガレージのドアを開放するための開放信号を前記遠隔操作装置へ出力する。
【０００９】
この開放位置及び開放方位は、例えば電動ガレージ付近の任意の位置及び方位とすることができる。また、所定速度は、ほぼ停止状態の速度以下に設定する。すなわち、車両が電動ガレージへ接近した場合で、車両がほぼ停止状態又は停止状態になった場合に、自動的に電動ガレージのドアが開放されるようにする。このように、車両の現在位置だけでなく進行方位が略一致したか否かを判断し、さらに車両が略停止状態か又は停止状態か否かを判断して電動ガレージのドアの開放信号を出力するので、単に電動ガレージの前を車両が通過する場合等、入庫の目的以外で電動ガレージへ接近した場合に誤って電動ガレージのドアを開放させてしまうのを防止することができる。
【００１０】
請求項２記載の発明は、請求項１に記載のナビゲーション装置において、前記出力手段は、前記現在位置及び前記進行方位と前記電動ガレージ内に予め定めた所定位置及び所定方位とが各々略一致し、かつ前記車両のエンジンが停止した場合に、前記電動ガレージのドアを閉鎖するための閉鎖信号を前記遠隔操作装置へ出力することを特徴としている。
【００１１】
請求項２記載の発明によれば、出力手段は、車両の現在位置及び進行方位と前記電動ガレージ内に予め定めた所定位置及び所定方位とが各々略一致し、かつ前記車両のエンジンが停止した場合に、電動ガレージのドアを閉鎖するための閉鎖信号を遠隔操作装置へ出力するので、車両が電動ガレージのドアを開放し、電動ガレージへ入庫した場合に、自動的に電動ガレージのドアを閉鎖することができる。
【００１２】
請求項３記載の発明は、請求項１又は請求項２に記載のナビゲーション装置において、前記出力手段は、前記現在位置及び前記進行方位と前記電動ガレージ内に予め定めた所定位置及び所定方位とが各々略一致した状態で前記車両のエンジンが始動した場合に、前記電動ガレージのドアを開放するための開放信号を前記遠隔操作装置へ出力することを特徴としている。
【００１３】
請求項３記載の発明によれば、前記車両の現在位置及び進行方位と電動ガレージ内に予め定めた所定位置及び所定方位とが各々略一致した状態で前記車両のエンジンが始動した場合に、前記電動ガレージのドアを開放するための開放信号を前記遠隔操作装置へ出力するので、車両が電動ガレージへ入庫されている状態からエンジンを始動させた場合に、自動的に電動ガレージのドアを開放することができる。従って、車両が出庫するときに自動的に電動ガレージのドアが開放される。
【００１４】
請求項４記載の発明は、請求項１乃至請求項３に記載のナビゲーション装置において、前記出力手段は、前記現在位置及び前記進行方位と前記電動ガレージ外に予め定めた閉鎖位置及び閉鎖方位とが各々略一致した場合に、前記電動ガレージのドアを閉鎖するための閉鎖信号を前記遠隔操作装置へ出力することを特徴としている。
【００１５】
請求項４記載の発明によれば、出力手段は、車両の現在位置及び前記進行方位と前記電動ガレージ外に予め定めた閉鎖位置及び閉鎖方位とが各々略一致した場合に、前記電動ガレージのドアを閉鎖するための閉鎖信号を前記遠隔操作装置へ出力するので、車両が電動ガレージから出庫した場合に、自動的に電動ガレージのドアが閉鎖される。
【００１６】
請求項５記載の発明は、請求項１乃至請求項４に記載のナビゲーション装置において、前記出力手段は、前記車両が前記電動ガレージ内に予め定めた所定位置から所定距離走行した場合又は前記電動ガレージのドアを開放してから所定時間経過した場合に、前記電動ガレージのドアを閉鎖するための閉鎖信号を前記遠隔操作装置へ出力することを特徴としている。
【００１７】
請求項５記載の発明によれば、出力手段は、車両が前記電動ガレージ内に予め定めた所定位置から所定距離走行した場合又は電動ガレージのドアを開放してから所定時間経過した場合に、前記電動ガレージのドアを閉鎖するための閉鎖信号を前記遠隔操作装置へ出力するので、車両が電動ガレージから出庫した場合に、車両の現在位置及び前記進行方位と前記電動ガレージ外に予め定めた閉鎖位置及び閉鎖方位とが各々略一致しない場合でも確実に自動的に電動ガレージのドアが閉鎖される。
【００１８】
【発明の実施の形態】
以下、図面を参照して本発明の実施の形態を詳細に説明する。
【００１９】
図１には、本実施の形態に係るナビゲーション装置１０の概略構成が示されている。
【００２０】
ナビゲーション装置１０は、ＣＰＵ１２，ＲＡＭ１４，ＲＯＭ１６、及び入出力ポート（Ｉ／Ｏ）１８の各々がコマンドやデータの授受が可能なようにバス２２によって接続されて構成されたマイクロコンピュータ２０を備えている。なお、ＲＯＭ１６には、後述する制御ルーチンが記憶されている。
【００２１】
入出力ポート１８には、ＧＰＳ受信機２４、ディスプレイ２６、入力装置２８、音声認識装置３０、スピーカ３２、ＣＤ−ＲＯＭドライブ３４、ＰＣカードドライブ３６、車速センサ３８、及びジャイロセンサ４０が接続されている。また、ナビゲーション装置１０には、エンジンが始動したか否かを示すＩＧ（イグニッション）信号４２が入力されるようになっている。
【００２２】
ＧＰＳ受信機２４は、高度約２万ｋｍの宇宙空間に配置された複数のＧＰＳ衛星からのＧＰＳ信号を受信して自車位置を算出するためのものである。なお、ＧＰＳ信号の誤差を補正するための補正情報を受信するためのＤＧＰＳ（Ｄｉｆｆｅｒｅｎｔｉａｌ  ＧＰＳ）受信機を接続するようにしてもよい。これにより、精度よく自車位置を特定することができる。
【００２３】
ディスプレイ２６は、液晶やＣＲＴで構成されたディスプレイであり、地図画像上にＧＰＳ受信機２４で算出した自車位置を示すマークを重ねて表示することが可能である。
【００２４】
入力装置２８は、目的地を入力したり、特定地点の検索や登録をしたり、地図画像を呼び出したりする等のナビゲーションの操作を行うためのものである。この入力装置２８の一例としては、ワイヤレスリモコンやワイヤードリモコン、タッチパネル等がある。
【００２５】
また、前記ナビゲーションの操作は、音声認識装置３０により音声により行うことも可能である。音声認識装置３０では、不特定話者での音声認識が可能であり、ナビゲーションの操作を行うためのコマンドの標準音声パターンが予め登録されており、この標準音声パターンと入力された音声信号から特徴抽出して得られた音声パターンとを比較（パターンマッチング）し、最も標準音声パターンと類似した音声パターンをコマンドとして決定する。
【００２６】
なお、不特定話者でなく、特定話者での認識を行うようにしてもよい。この場合には、特定話者の発するコマンドを録音して登録しておき、この登録した音声パターンと入力された音声とを比較して最も登録した音声パターンと類似する音声パターンをコマンドとして決定するようにすればよい。
【００２７】
スピーカ３２は、ドライバーに対して音声情報を提供する。この音声情報は、例えば目的地までの経路を設定した場合において、交差点等の曲がる方向を指示したりする経路案内情報や、ドライバーが発声した音声を音声認識装置３０で音声認識した場合の認識結果等の情報である。
【００２８】
ＣＤ−ＲＯＭドライブ３４は、ＣＤ−ＲＯＭ４４に記録された地図情報等の各種データを読み込むためのものである。読み込んだデータはＲＡＭ１４に一時的に格納される。ＣＤ−ＲＯＭ４４に記録された地図情報は、道路データ、例えば一般道路や高速道路等の道路種別の他、交差点の情報等や地名情報、電話番号等の情報が含まれる。
【００２９】
なお、制御プログラムをＲＯＭ１６に記憶しておく代わりにＣＤ−ＲＯＭ４４に記憶しておいてもよい。また、ＣＤ−ＲＯＭ４４に代えてＤＶＤ−ＲＯＭ等の記憶媒体を用いてもよく、この場合は、ＣＤ−ＲＯＭドライブ３６に代えてＤＶＤ−ＲＯＭドライブを用いればよい。
【００３０】
ＰＣカードドライブ３６は、ＰＣカード４６に記憶された情報を読み込んだり、ＰＣカード４６へ情報を書き込むためのものである。ＰＣカード４６には、例えば地点登録データ等の各種データを記憶させておくことができる。
【００３１】
なお、制御プログラムをＲＯＭ１６に記憶しておく代わりにＰＣカード４６に記憶しておいてもよい。また、ＰＣカード４６に代えてＭＤやＭＯ、フロッピーディスク等の記憶媒体を用いてもよく、この場合は、ＰＣカードドライブ３６に代えてＭＤドライブやＭＯドライブ、フロッピーディスクドライブを用いればよい。
【００３２】
車速センサ３８は、車輪の回転に伴って所定周期のパルス信号を出力する。このパルス信号は車輪１回転当たりに出力されるパルス数が予め定められており、このパルス数をカウントすることにより自車の車速及び走行距離を算出することができる。
【００３３】
ジャイロセンサ４０は、自車の方向変換時の角速度を検出し、角速度データ及び方位データを出力する。このジャイロセンサ４０は、一例として圧電素子等で構成される振動型ジャイロである。
【００３４】
また、ナビゲーション装置１０は、ワイヤレスガレージドアオープナ送信機５０を接続することができる。ワイヤレスガレージドアオープナ送信機５０は、一例としてシリアル通信用の通信ポートを有しており、この通信ポートを介してナビゲーション装置１０とデータ通信を行う。
【００３５】
また、ワイヤレスガレージドアオープナ送信機５０はスイッチ５２と接続されている。さらに、ワイヤレスガレージドアオープナ送信機５０は、予め定めた車両ＩＤを図示しないメモリに記憶している。この車両ＩＤは、図２に示すワイヤレスガレージドアオープナ受信機５４にも記憶されている。
【００３６】
スイッチ５２は、開釦、閉釦、自動釦の３種類の図示しない釦を備えており、開釦を押下した場合には、図２に示す電動ガレージドア５６を開放するための開放信号及び車両ＩＤがワイヤレスガレージドアオープナ送信機５０により例えば電波または赤外線信号に変換されて送信される。ワイヤレスガレージドアオープナ受信機５４では、開放信号及び車両ＩＤを受信すると、該受信した車両ＩＤと記憶された車両ＩＤとを比較し、両者が一致した場合に電動ガレージドア５６を開放する。
【００３７】
同様に、閉釦を押下した場合には、図２に示す電動ガレージドア５６を閉鎖するための閉鎖信号及び車両ＩＤがワイヤレスガレージドアオープナ送信機５０により送信される。ワイヤレスガレージドアオープナ受信機５４では、閉鎖信号及び車両ＩＤを受信すると、該受信した車両ＩＤと記憶された車両ＩＤとを比較し、両者が一致した場合に電動ガレージドア５６を閉鎖する。
【００３８】
また、自動釦を押下した場合には、ナビゲーション装置１０から出力される開放信号及び閉鎖信号に応じて電動ガレージドア５６を開閉する。ナビゲーション装置１０は、車両の現在位置及び方位が予め登録された開放指示位置及び方位と略一致した場合等に開放信号を出力し、車両の現在位置及び方位が予め登録された閉鎖指示位置及び方位と略一致した場合等に閉鎖信号を出力する（詳細は後述）。
【００３９】
次に、本実施の形態における作用を説明する。
【００４０】
まず、ガレージ６４から車両６６が出庫する場合における電動ガレージドア５６の開放を指示するための条件となる開放指示位置及び方位、電動ガレージドア５６の閉鎖を指示するための条件となる閉鎖指示位置及び方位の設定について図３を参照して説明する。
【００４１】
開放指示位置及び方位は、例えば図３に示すように、敷地６０内の自宅６２に隣接して設置されたガレージ６４内に車両６６（先端が突出している方が車両の前方）が入庫されている時の位置を開放指示位置６８Ａとして設定すると共に、この開放指示位置６８Ａでの車両６６の向き、すなわち方位（図中矢印左方向）を開放指示方位６８Ｂとして設定し、ＰＣカード４６に記憶させる。
【００４２】
なお、開放指示位置及び開放指示方位は複数箇所設定しておいてもよく、図３に示すように、車両６６を前向きに駐車した場合も考慮して開放指示位置７０Ａ、開放指示方位７０Ｂを設定しておいてもよい。
【００４３】
一方、閉鎖指示位置は、例えば図３に示すように、車両６６がガレージ６４から敷地６０前の道路７２に右折して出た位置を閉鎖指示位置７４Ａとして設定すると共に、この閉鎖指示位置７４Ａでの車両６６の方位を閉鎖指示方位６８Ｂとして設定し、ＰＣカード４６に記憶させる。
【００４４】
なお、閉鎖指示位置及び閉鎖指示方位は複数箇所設定しておいてもよく、図３に示すように、車両６６が左折して道路７２上に出た場合も考慮して閉鎖指示位置７６Ａ、閉鎖指示方位７６Ｂを設定しておいてもよい。
【００４５】
次に、車両６６がガレージ６４へ入庫する場合における電動ガレージドア５６の開放を指示するための条件となる開放指示位置及び方位、電動ガレージドア５６の閉鎖を指示するための条件となる閉鎖指示位置及び方位の設定について図４を参照して説明する。
【００４６】
開放指示位置及び方位は、例えば図４に示すように、道路７２上の車両６６が右折してガレージ６４へ入庫するときの位置を開放指示位置７８Ａとして設定すると共に、この開放指示位置７８Ａでの車両６６の方位を開放指示方位７８Ｂとして設定し、ＰＣカード４６に記憶させる。
【００４７】
なお、開放指示位置及び開放指示方位は複数箇所設定しておいてもよく、図４に示すように、車両６６が左折してガレージ６４へ入庫する場合も考慮して開放指示位置８０Ａ、開放指示方位８０Ｂを設定しておいてもよい。
【００４８】
一方、閉鎖指示位置は、例えば図４に示すように、車両６６がガレージ６４内へ入庫した時の位置を閉鎖指示位置８２Ａとして設定すると共に、この閉鎖指示位置８２Ａでの車両６６の方位を閉鎖指示方位８２Ｂとして設定し、ＰＣカード４６に記憶させる。
【００４９】
なお、閉鎖指示位置及び閉鎖指示方位は複数箇所設定しておいてもよく、図４に示すように、車両６６が前向きにガレージ６４へ入庫する場合も考慮して閉鎖指示位置８４Ａ、閉鎖指示方位８４Ｂを設定しておいてもよい。
【００５０】
次に、ＣＰＵ１２において実行される制御を図５に示すフローチャートを参照して説明する。なお、この制御はスイッチ５２の自動釦が押下されているときに有効な制御である。
【００５１】
図５に示すステップ１００では、ＧＰＳ受信機２４により算出された車両６６の現在位置及びジャイロセンサ４０により検出された車両６６の方位が入庫時の開放指示位置７８Ａ及び開放指示方位７８Ｂまたは開放指示位置８０Ａ及び開放指示方位８０Ｂと各々一致したか否かを判断する。
【００５２】
車両６６の現在位置及び方位が入庫時の開放指示位置７８Ａ及び開放指示方位７８Ｂまたは開放指示位置８０Ａ及び開放指示方位８０Ｂと各々一致した場合にはステップ１００で肯定され、ステップ１０１で車両６６の速度が所定値（例えば５ｋｍ／ｈ）以下であるか否かを判断する。すなわち、ほぼ停止状態であるか否かを判断する。車両６６の速度が所定値以下でない場合にはステップ１０１で否定され、ステップ１００へ戻る。車両６６の速度が所定値以下の場合にはステップ１０１で肯定され、ステップ１０２で開放信号をワイヤレスガレージドアオープナ送信機５０へ送信する。これにより、ワイヤレスガレージドアオープナ送信機５０は開放信号及び予め記憶されている車両ＩＤを出力する。
【００５３】
ワイヤレスガレージドアオープナ受信機５４では、開放信号及び車両ＩＤを受信すると、受信した車両ＩＤと予め内部に記憶されている車両ＩＤとを比較し、両者が一致した場合に電動ガレージドア５６を開放する。
【００５４】
このように、車両６６の現在位置だけでなく方位が開放指示位置及び方位と各々略一致したか否かを判断し、さらに車両６６が停止状態か否かを判断して電動ガレージドア５６の開放信号を出力するので、図４に示すように、例えば車両６６の位置が車両位置８６Ａ、８８Ａの位置を単に通過する場合や、車両位置９０Ａに駐車している場合等に電動ガレージドア５６が誤って開放されるのを防ぐことができる。
【００５５】
また、車両ＩＤが一致しているかを確認してから電動ガレージドア５６を開放させるので、別の車両から開放信号及び車両ＩＤが送信された場合でも、誤って電動ガレージドア５６を開放してしまうのを防ぐことができる。
【００５６】
一方、車両６６の現在位置及び方位が入庫時の開放指示位置７８Ａ及び開放指示方位７８Ｂまたは開放指示位置８０Ａ及び開放指示方位８０Ｂと各々一致していない場合にはステップ１００で否定され、ステップ１０４で車両６６の現在位置及び方位が入庫時の閉鎖指示位置８２Ａ及び閉鎖指示方位８２Ｂまたは閉鎖指示位置８４Ａ及び閉鎖指示方位８４と各々一致しているか否かを判断する。
【００５７】
車両６６の現在位置及び方位が入庫時の閉鎖指示位置８２Ａ及び閉鎖指示方位８２Ｂまたは閉鎖指示位置８４Ａ及び閉鎖指示方位８４Ｂと各々一致していた場合には、ステップ１０４で肯定され、ステップ１０６でＩＧ信号４２がオンからオフになったか否か、すなわち、図示しないエンジンを停止させたか否かを判断する。
【００５８】
ＩＧ信号４２がオンからオフになっていない場合には、ステップ１０６で否定され、ステップ１００へ戻る。ＩＧ信号４２がオンからオフになった場合には、ステップ１０６で肯定され、ステップ１０８で閉鎖信号をワイヤレスガレージドアオープナ送信機５０へ送信する。これにより、ワイヤレスガレージドアオープナ送信機５０は、閉鎖信号及び予め記憶されている車両ＩＤを出力する。
【００５９】
ワイヤレスガレージドアオープナ受信機５４では、閉鎖信号及び車両ＩＤを受信すると、受信した車両ＩＤと予め内部に記憶されている車両ＩＤとを比較し、両者が一致した場合に電動ガレージドア５６を閉鎖する。
【００６０】
一方、車両６６の現在位置及び方位が入庫時の閉鎖指示位置８０Ａ及び閉鎖指示方位８０Ｂまたは閉鎖指示位置８４Ａ及び閉鎖指示方位８４Ｂと各々一致していない場合にはステップ１０４で否定され、ステップ１１０で車両６６の現在位置及び方位が出庫時の開放指示位置６８Ａ及び開放指示方位６８Ｂまたは開放指示位置７０Ａ及び開放指示方位７０Ｂと各々一致しているか否かを判断する。
【００６１】
車両６６の現在位置及び方位が出庫時の開放指示位置６８Ａ及び開放指示方位６８Ｂまたは開放指示位置７０Ａ及び開放指示方位７０Ｂと各々一致していた場合には、ステップ１１０で肯定され、ステップ１１２でＩＧ信号４２がオフからオンになったか否か、すなわち、図示しないエンジンを始動させたか否かを判断する。
【００６２】
ＩＧ信号４２がオフからオンになっていない場合には、ステップ１１２で否定され、ステップ１００へ戻る。ＩＧ信号４２がオフからオンになった場合には、ステップ１１２で肯定され、ステップ１１４で開放信号をワイヤレスガレージドアオープナ送信機５０へ送信する。これにより、ワイヤレスガレージドアオープナ送信機５０は、開放信号及び予め記憶されている車両ＩＤを出力する。
【００６３】
ワイヤレスガレージドアオープナ受信機５４では、開放信号及び車両ＩＤを受信すると、受信した車両ＩＤと予め内部に記憶されている車両ＩＤとを比較し、両者が一致した場合に電動ガレージドア５６を開放する。
【００６４】
一方、車両６６の現在位置及び方位が出庫時の開放指示位置６８Ａ及び開放指示方位６８Ｂまたは開放指示位置７０Ａ及び開放指示方位７０Ｂと各々一致していない場合にはステップ１１０で否定され、ステップ１１６で車両６６の現在位置及び方位が出庫時の閉鎖指示位置７４Ａ及び閉鎖指示方位７４Ｂまたは閉鎖指示位置７６Ａ及び閉鎖指示方位７６Ｂと各々一致しているか否かを判断する。
【００６５】
車両６６の現在位置及び方位が出庫時の閉鎖指示位置７４Ａ及び閉鎖指示方位７４Ｂまたは閉鎖指示位置７６Ａ及び閉鎖指示方位７６Ｂと各々一致していた場合には、ステップ１１６で肯定され、ステップ１１８で閉鎖信号をワイヤレスガレージドアオープナ送信機５０へ送信する。これにより、ワイヤレスガレージドアオープナ送信機５０は、閉鎖信号及び予め記憶されている車両ＩＤを出力する。
【００６６】
ワイヤレスガレージドアオープナ受信機５４では、閉鎖信号及び車両ＩＤを受信すると、受信した車両ＩＤと予め内部に記憶されている車両ＩＤとを比較し、両者が一致した場合に電動ガレージドア５６を閉鎖する。
【００６７】
車両６６の現在位置及び方位が出庫時の閉鎖指示位置７４Ａ及び閉鎖指示方位７４Ｂまたは閉鎖指示位置７６Ａ及び閉鎖指示方位７６Ｂと各々一致していない場合には、ステップ１１６で否定され、ステップ１２０で車両６６がガレージ６４から出庫してから所定距離走行したか否か、例えば図３において点線で示す電動ガレージドア５６を中心とした半円を車両６６が越えたか否か、又は出庫してから所定時間経過したか否かを判断する。
【００６８】
車両６６がガレージ６４から出庫してから所定距離走行しておらず、かつ所定時間経過していない場合にはステップ１２０で否定され、ステップ１００へ戻る。車両６６がガレージ６４から出庫してから所定距離走行したか又は所定時間経過した場合にはステップ１２０で肯定され、ステップ１１８で閉鎖信号をワイヤレスガレージドアオープナ送信機５０へ送信する。このため、車両６６の現在位置及び前記方位と出庫時の閉鎖指示位置及び閉鎖指示方位とが各々略一致しない場合でも確実に自動的に電動ガレージドア５６を閉鎖することができる。
【００６９】
なお、ステップ１１０では、車両６６の現在位置及び方位が出庫時の開放指示位置６８Ａ及び開放指示方位６８Ｂまたは開放指示位置７０Ａ及び開放指示方位７０Ｂと各々一致しているか否かを判断しているが、ＩＧ信号４２がオンからオフになったときの車両６６の位置及び方位をＰＣカード４６に記憶させておき、前記記憶させた車両６６の位置及び方位が出庫時の開放指示位置６８Ａ及び開放指示方位６８Ｂまたは開放指示位置７０Ａ及び開放指示方位７０Ｂと各々一致しているか否かを判断するようにしてもよい。
【００７０】
以上のように、入庫時には車両６６の現在位置だけでなく方位が開放指示位置及び方位と各々略一致したか否かを判断し、さらに車両６６が停止状態か否かを判断して電動ガレージドア５６の開放信号を出力するので、入庫の目的以外で電動ガレージドア５６に車両６６が接近した場合に誤って電動ガレージドア５６を開放してしまうのを防ぐことができる。
【００７１】
また、車両にビーコン装置等の特別な装置を設ける必要がなく、ナビゲーション装置にソフトウェアを追加すると共に既存のワイヤレスガレージドアオープナを接続するだけでよいため、安価な構成とすることができる。
【００７２】
なお、本実施の形態では、開放または閉鎖の判断や開放信号及び閉鎖信号の送信はナビゲーション装置１０により行っているが、ワイヤレスガレージドアオープナ送信機５０で行ってもよい。また、車両が所定の範囲内（登録ガレージ周辺）にいる場合に、複数の判断情報（例えば、自車位置、方位、ＩＧ信号、車速等）をワイヤレスガレージドアオープナ送信機５０に送信するようにしてもよい。これにより、複数の車両でガレージドアオープナを共用する場合においてもコンフリクトする可能性を低減することができる。
【００７３】
【発明の効果】
以上説明したように、本発明の請求項１記載の発明によれば、車両の現在位置及び方位と電動ガレージ外に予め定めたの開放位置及び開放方位とが各々略一致し、かつ前記車両の速度が所定速度以下の場合に、前記電動ガレージのドアを開放するための開放信号を出力するので、単に電動ガレージの前を車両が通過する場合等、入庫の目的以外で電動ガレージへ接近した場合に誤って電動ガレージのドアを開放させてしまうのを防止することができる、という効果を有する。
【図面の簡単な説明】
【図１】本発明の実施の形態に係るナビゲーション装置の概略構成を示すブロック図である。
【図２】ワイヤレスガレージドアオープナの概略構成を示すブロック図である。
【図３】車両の出庫時の開放指示位置及び方位並びに閉鎖指示位置及び方位を説明するための図である。
【図４】車両の入庫時の開放指示位置及び方位を説明するための図である。
【図５】ＣＰＵ１２で実行される制御の流れを示すフローチャートである。
【符号の説明】
１０    ナビゲーション装置
１２    ＣＰＵ（出力手段）
１４    ＲＡＭ
１６    ＲＯＭ
１８    入出力ポート
２０    マイクロコンピュータ
２２    バス
２４    ＧＰＳ受信機（現在位置検出手段）
２６    ディスプレイ
２８    入力装置
３０    音声認識装置
３２    スピーカ
３４    ＣＤ−ＲＯＭドライブ
３６    ＰＣカードドライブ
３８    車速センサ（速度検出手段）
４０    ジャイロセンサ（方位検出手段）
４４    ＣＤ−ＲＯＭ
４６    ＰＣカード
５０    ワイヤレスガレージドアオープナ送信機
５４    ワイヤレスガレージドアオープナ受信機
５６    電動ガレージドア
６４    ガレージ
【図１】
0004012333.tif 000002
【図２】
0004012333.tif 000003
【図３】
0004012333.tif 000004
【図４】
0004012333.tif 000005
【図５】
0004012333.tif 000006